【手続補正書】
【提出日】平成17年2月14日(2005.2.14)
【手続補正１】
【補正対象書類名】特許請求の範囲
【補正対象項目名】全文
【補正方法】変更
【補正の内容】
【特許請求の範囲】
【請求項１】
ナフサ炭化水素供給物流中のオレフィン化合物の収率を実質的に維持しつつ供給物流の硫黄含量を低下させる方法であって、
ｉ）ナフサ供給物を膜分離帯域と接触させ、この分離帯域は、硫黄に富む透過画分と１００ｐｐｍ未満の硫黄含量およびナフサ供給物流中のオレフィンの５０重量％より多量のオレフィンを含む硫黄の少ない残留画分とを分離するのに十分なフラックスおよび選択性を有する膜を収容し、膜は１．５より大きい硫黄富化係数を有し、ナフサ供給物は、軽質ナフサ、中間ナフサ、コーカーナフサ、直留ナフサ及びこれらの混合物からなる群から選択され、ナフサ供給物は、硫黄を含有する芳香族炭化水素、硫黄を含有する非芳香族炭化水素、およびオレフィン化合物を含み、硫黄に富む透過画分はナフサ供給物と比較して、硫黄を含有する芳香族炭化水素および硫黄を含有する非芳香族炭化水素に富み；
ｉｉ）硫黄の少ない残留画分を生成物流として回収し；
ｉｉｉ）硫黄に富む透過画分を膜以外のプロセスへ供給して硫黄含量を低下させ、硫黄含量を低下させた透過生成物流を生成し；そして
ｉｖ）硫黄含量を低下させた透過生成物流を回収する
ことを含む方法。
【請求項２】
膜が、ポリイミド膜、ポリウレア−ウレタン膜およびポリシロキサン膜よりなる群から選択される非対称膜である、請求項１に記載の方法。
【請求項３】
硫黄の少ない残留画分の硫黄含量が５０ｐｐｍ未満である、請求項１に記載の方法。
【請求項４】
硫黄の少ない残留画分の硫黄含量が３０ｐｐｍ未満である、請求項３に記載の方法。
【請求項５】
膜分離帯域をパーベーパレーション条件下で操作する、請求項１に記載の方法。
【請求項６】
膜分離帯域を膜抽出条件下で操作する、請求項１に記載の方法。
【請求項７】
硫黄の少ない残留画分が全供給物の少なくとも５０重量％である、請求項１に記載の方法。
【請求項８】
硫黄の少ない残留画分が全供給物の少なくとも７０重量％である、請求項１に記載の方法。
【請求項９】
膜以外のプロセスが硫黄含量低下のための水素化精製プロセスである、請求項１に記載の方法。
【請求項１０】
膜以外のプロセスが硫黄含量低下のための吸着プロセスである、請求項１に記載の方法。
【請求項１１】
膜以外のプロセスが硫黄含量低下のための接触蒸留プロセスである、請求項１に記載の方法。
【請求項１２】
膜が２より大きい硫黄富化係数を有する、請求項１に記載の方法。
【請求項１３】
膜が約２〜約２０の硫黄富化係数を有する、請求項１に記載の方法。
【請求項１４】
ナフサ供給物流が分解ナフサである、請求項１に記載の方法。
【請求項１５】
ナフサ供給物流がＦＣＣナフサである、請求項１４に記載の方法。
【請求項１６】
ナフサが、約５０〜約１０５℃の沸騰範囲を有するＦＣＣ軽質接触分解ナフサである、請求項１５に記載の方法。
【請求項１７】
残留生成物流および透過生成物流中のオレフィン化合物の全量が、ナフサ供給物中に存在していたオレフィン化合物の少なくとも５０重量％である、請求項１に記載の方法。
【請求項１８】
残留生成物流および透過生成物流中のオレフィン化合物の全量が、ナフサ供給物中に存在していたオレフィン化合物の約５０〜約９０重量％である、請求項１７に記載の方法。
【請求項１９】
ナフサ炭化水素供給物流中のオレフィン化合物の収率を実質的に維持しつつ供給物流の硫黄含量を低下させる方法であって、
ｉ）ナフサ供給物をパーベーパレーション条件下で膜分離帯域と接触させ、この分離帯域は、硫黄に富む透過画分と供給物中のオレフィンの５０重量％より多量のオレフィンを含む硫黄の少ない残留画分とを分離するのに十分なフラックスおよび選択性を有するポリイミド膜又はポリシロキサン膜を収容し、ナフサ供給物は硫黄を含有する芳香族炭化水素、硫黄を含有する非芳香族炭化水素、およびオレフィン化合物を含み、硫黄に富む透過画分はナフサ供給物と比較して、硫黄を含有する芳香族炭化水素および硫黄を含有する非芳香族炭化水素に富み；
ｉｉ）硫黄の少ない残留画分を生成物流として回収し；
ｉｉｉ）硫黄に富む透過画分を膜以外のプロセスへ供給して硫黄含量を低下させ、硫黄含量を低下させた透過生成物流を生成し；そして
ｉｖ）硫黄含量を低下させた透過生成物流を回収する
ことを含む方法。
【請求項２０】
硫黄の少ない残留画分の硫黄含量が１００ｐｐｍ未満である、請求項１９に記載の方法。
【請求項２１】
硫黄の少ない残留画分の硫黄含量が５０ｐｐｍ未満である、請求項２０に記載の方法。
【請求項２２】
硫黄の少ない残留画分の硫黄含量が３０ｐｐｍ未満である、請求項２１に記載の方法。
【請求項２３】
ナフサ供給物流が分解ナフサである、請求項１９に記載の方法。
【請求項２４】
ナフサがＦＣＣナフサである、請求項２３に記載の方法。
【請求項２５】
ナフサが、約５０〜約１０５℃の沸騰範囲を有するＦＣＣ軽質接触分解ナフサである、請求項２４に記載の方法。
【請求項２６】
ナフサがコーカーナフサ、直留ナフサ、軽質ナフサ、中間ナフサ及びこれらの混合物からなる群から選択される、請求項１９に記載の方法。
【請求項２７】
硫黄の少ない残留画分が全供給物の少なくとも５０重量％である、請求項１９に記載の方法。
【請求項２８】
残留生成物流および透過生成物流中のオレフィン化合物の全量が、ナフサ供給物中に存在していたオレフィン化合物の少なくとも５０重量％である、請求項１９に記載の方法。
【請求項２９】
残留生成物流および透過生成物流中のオレフィン化合物の全量が、ナフサ供給物中に存在していたオレフィン化合物の約５０〜約９０重量％である、請求項１７に記載の方法。
【請求項３０】
硫黄に富む透過画分に硫黄含量低下のために水素化精製プロセスを施す、請求項１９に記載の方法。
【請求項３１】
硫黄に富む透過画分に硫黄含量低下のために吸着プロセスを施す、請求項１９に記載の方法。
【請求項３２】
硫黄に富む透過画分に硫黄含量低下のために接触蒸留プロセスを施す、請求項２４に記載の方法。
【請求項３３】
ナフサ炭化水素供給物流中のオレフィン化合物の収率を実質的に維持しつつ供給物流の硫黄含量を低下させる方法であって、
ｉ）ナフサ供給物をパーベーパレーション条件下で膜分離帯域と接触させ、この分離帯域は、硫黄に富む透過画分と硫黄の少ない残留画分とを分離するのに十分なフラックスおよび選択性を有するポリウレア−ウレタン膜を収容し、硫黄の少ない残留画分は１００ｐｐｍ未満の硫黄含量およびナフサ供給物中のオレフィンの５０重量％より多量のオレフィンを含み、ナフサ供給物は、軽質ナフサ、中間ナフサ、コーカーナフサ、直留ナフサ及びこれらの混合物からなる群から選択され、ナフサ供給物は、硫黄を含有する芳香族炭化水素、硫黄を含有する非芳香族炭化水素、およびオレフィン化合物を含み、硫黄に富む透過画分はナフサ供給物と比較して、硫黄を含有する芳香族炭化水素および硫黄を含有する非芳香族炭化水素に富み；
ｉｉ）硫黄の少ない残留画分を生成物流として回収し；
ｉｉｉ）硫黄に富む透過画分を膜以外のプロセスへ供給して硫黄含量を低下させ、硫黄含量を低下させた透過生成物流を生成し；そして
ｉｖ）硫黄含量を低下させた透過生成物流を回収する
ことを含む方法。
【請求項３４】
硫黄の少ない残留画分の硫黄含量が５０ｐｐｍ未満である、請求項３３に記載の方法。
【請求項３５】
硫黄の少ない残留画分の硫黄含量が３０ｐｐｍ未満である、請求項３４に記載の方法。
【請求項３６】
ナフサ供給物流が分解ナフサである、請求項３３に記載の方法。
【請求項３７】
ナフサがＦＣＣナフサである、請求項３６に記載の方法。
【請求項３８】
ナフサが、約５０〜約１０５℃の沸騰範囲を有するＦＣＣ軽質接触分解ナフサである、請求項３７に記載の方法。
【請求項３９】
硫黄の少ない残留画分が全供給物の少なくとも５０重量％である、請求項３３に記載の方法。
【請求項４０】
残留生成物流および透過生成物流中のオレフィン化合物の全量が、ナフサ供給物中に存在していたオレフィン化合物の少なくとも５０重量％である、請求項３３に記載の方法。
【請求項４１】
残留生成物流および透過生成物流中のオレフィン化合物の全量が、ナフサ供給物中に存在していたオレフィン化合物の約５０〜約９０重量％である、請求項４０に記載の方法。
【請求項４２】
硫黄に富む透過画分に硫黄含量低下のために水素化精製プロセスを施す、請求項３３に記載の方法。
【請求項４３】
硫黄に富む透過画分に硫黄含量低下のために吸着プロセスを施す、請求項３３に記載の方法。
【請求項４４】
硫黄に富む透過画分に硫黄含量低下のために接触蒸留プロセスを施す、請求項３３に記載の方法。
【請求項４５】
ナフサ炭化水素供給物流中のオレフィン化合物の収率を実質的に維持しつつ供給物流の硫黄含量を低下させる方法であって、
ｉ）ナフサ供給物を膜分離帯域と接触させ、この分離帯域は硫黄に富む透過画分と硫黄の少ない残留画分とを分離するのに十分なフラックスおよび選択性を有する膜を収容し、硫黄の少ない残留画分はナフサ供給物の少なくとも５０重量％であり、供給物中の硫黄の３０重量％未満の硫黄を含み、膜は１．５より大きい硫黄富化係数を有し、ナフサ供給物は硫黄を含有する芳香族炭化水素、硫黄を含有する非芳香族炭化水素、およびオレフィン化合物を含み、硫黄に富む透過画分はナフサ供給物と比較して、硫黄を含有する芳香族炭化水素および硫黄を含有する非芳香族炭化水素に富み；
ｉｉ）硫黄の少ない残留画分を生成物流として回収し；
ｉｉｉ）硫黄に富む透過画分を膜以外のプロセスへ供給して硫黄含量を低下させ；そして
ｉｖ）硫黄含量を低下させた透過生成物流を回収する
ことを含む方法。